(57)【要約】【課題】中空下地材の長さを調整する機能と、直交する２本の中空下地材を接続したとき下地面を同一面内に位置させる。【解決手段】接続部材Ａは、断面が略四角形の中空材からなる被接続下地材Ｂと接続下地材Ｃを直角に接続する部位に用いる接続部材であって、嵌合部１と該嵌合部１の一方の端部に取り付けられた係止片２を有し、嵌合部１は接続下地材Ｃの内部に嵌合されて長手方向に摺動して嵌合長さを調整し得るように構成され、係止片２は嵌合部１を接続下地材Ｃに嵌合して被接続下地材Ｂの上面１０ｂに係合したとき被接続下地材Ｂの下面１０ａと接続下地材Ｃの下面１０ａとが略同一面内に位置させる。【選択図】       図１
2006144380.tif 000002
【特許請求の範囲】
【請求項１】
断面が略四角形の中空材からなる被接続下地材と接続下地材を直角に接続する部位に用いる接続部材であって、嵌合部と該嵌合部の一方の端部に取り付けられた係止片とを有し、前記嵌合部は接続下地材の内部に嵌合されると共に長手方向に摺動して嵌合長さを調整し得るように構成され、前記係止片は嵌合部を接続下地材に嵌合して被接続下地材の上面に係合したとき被接続下地材の下面と接続下地材の下面とが略同一面内に位置し得る形状を持って構成されたものであることを特徴とする接続部材。
【請求項２】
少なくとも一方の下地材が断面が略四角形の中空材からなる被接続下地材であり該被接続下地材と並列して配置された下地材との間に断面が略四角形の中空材からなる接続下地材を直角に配置して被接続下地材に接続する際の施工方法であって、予め並列に配置された被接続下地材と下地材との間隔よりも短い長さを持った接続下地材を用意すると共に該接続下地材の少なくとも一方の端部に請求項１に記載した接続部材を配置して嵌合部を嵌合しておき、前記接続部材の係止片を被接続下地材の外面に係止させて仮置きし、前記仮置き状態で接続下地材を接続部材の嵌合部に沿って摺動させて他方の端部を下地材に取り付け、その後、接続部材を被接続下地材に固定することを特徴とする下地の施工方法。
【発明の詳細な説明】
【技術分野】
【０００１】
本発明は、断面が略四角形の中空材からなる下地材を用いて建物の壁や天井の下地を構成する際に、前記下地材を直角に接続する部位に用いて有利な接続部材と、施工方法とに関するものである。
【背景技術】
【０００２】
建物の内壁や天井の下地材としての胴縁や野縁等の下地材は、断面が四角形の木材を使用していたが、最近では、比較的薄い鋼板を断面が略四角形となるようにロール成形した中空材からなる下地材（中空下地材）が使用されるようになってきた。このような中空下地材は、高い寸法精度と充分な強度を有しており、且つ施工性も良いため広く使用されるようになっている。
【０００３】
中空下地材を用いて内壁や天井の下地を構成する場合、例えば内壁の下地を構成する場合には、床面と梁とに断面がコ字状に形成されたランナーを固定しておき、複数の中空下地材を予め設定された間隔（モジュール寸法に対応した寸法）で配置すると共に両端をこのランナーに嵌め込んで固定するのが一般的である。また天井の下地を構成する場合には、対向する梁に予め中空下地材の端部を取り付けるための部材（ランナー）を固定しておき、複数の中空下地材を予め設定された間隔で配置すると共に両端をこのランナーに嵌め込んで固定するのが一般的である。
【０００４】
上記の如き内壁面や天井面に窓やエアコンを含む設備機器用の開口部を形成することがある。例えば天井面に開口部を構成する場合の下地を構成する手順について簡単に説明する。
【０００５】
先ず、複数の中空下地材（通し下地材）を予め設定された間隔で配置し、両端部を梁等に固定したランナーに固定する。このとき、予め位置が設定されている開口部を含む領域には通し下地材を配置することなく明けておき、周囲の条件（例えば電源を含む接続条件等）を考慮した上で、この領域内に開口部の位置を設定する。
【０００６】
上記領域に設定された開口部に於ける通し下地材と直交する方向の縁部に沿って２本の中空下地材（差し渡し下地材）を配置すると共に両端部を前記通し下地材に接続する。次いで、開口部に於ける通し下地材と平行方向の縁部に沿って２本の中空下地材（端部下地材）を配置し、両端部を差し渡し下地材に接続する。これにより、開口部の４辺には差し渡し下地材と端部下地材とが配置されることとなり、該開口部の周縁が規定される。更に、差し渡し下地材とランナーとの間に中空下地材（調整下地材）が配置される。この調整下地材は、一方側の端部が差し渡し下地材に、他方側の端部が梁に固定したランナーに固定される。
【０００７】
上記の如く、中空下地材を用いて下地を構成する際に、２本の中空下地材を直角に接続することがある。この場合、中空下地材の外面を挟み込むようにコ字型に形成された二つの片を有し、これらの片をＬ字型に配置したジョイント金具を使用することが行われていた。しかし、このジョイント金具を使用した場合、該ジョイント金具の外面を挟む片が中空下地材の外側に重なることになり、ジョイント金具の厚さに応じた段差が生じるという問題があった。
【０００８】
このため、少なくとも一つの突起部と、この突起部の側端から延出された取付片とを有して構成された凸字状の取付金具が提案されている（例えば特許文献１参照）。この技術では、取付金具の取付片の両端間の寸法が中空下地材の幅寸法と一致しており、この取付金具を一方の中空下地材に固定し、他方の中空下地材の中空部に突起部を差し込むことで取り付けるようにしている。このような取付構造とすることによって、直角に接続する２本の中空下地材の側面を同一面内に位置させることが可能となる。
【０００９】
上記Ｌ字型のジョイント金具や特許文献１に記載された凸字状の取付金具では、直角に配置された２本の中空下地材を接続することが可能である。この場合、中空下地材からなる一方の被接続下地材に予めジョイント金具，取付金具を固定しておき、これらの金具に予め所定の長さに切断された中空下地材からなる接続下地材をビスにより固定したり、差し込むことで接続している。
【００１０】
【特許文献１】登録実用新案第３０３４８４３号
【発明の開示】
【発明が解決しようとする課題】
【００１１】
内壁面や天井面に設備機器を設置するために形成する開口部の位置は、厳密に設定されたものではなく、現場で多少の変更が生じるのが一般的である。このため、開口部の端部を規定する２本の縦材と横架材の長さは正確に設定されるものの、横架材とランナーとの間に配置される中空下地材は正確な寸法を設定することが困難であり、現場合わせにならざるを得なかったため、作業性が悪いという問題が生じていた。
【００１２】
一方、直交する２本の中空下地材を接続するジョイント金具では、ジョイント金具の厚さに応じた段差が生じるため、下地に面材を取り付けたとき、面材に凹凸が生じるという問題がある。
【００１３】
また特許文献１に記載された取付金具では、２つの取付片の間に形成された突起部の長さ寸法（中空下地材の幅方向の寸法）は中空下地材の幅方向の内部寸法よりも大幅に小さい寸法とならざるを得ず、この取付金具に構造部材を差し込んだとしても、該構造部材の幅方向の位置は取付片との寸法差に起因して安定しないという問題が生じる。また縦方向に固定した一対の構造部材の間に水平方向に構造部材を取り付ける際に、縦方向の構造部材に予め取付金具を固定しておいた場合、水平方向の構造部材の長さを縦方向の構造部材の内法寸法と等しい長さで構成したのでは取り付けることができないという問題や、この問題を解決するためには取付金具の突起部の高さを回避し得る寸法に形成する必要が生じ、作業が煩雑になるという問題が生じる。
【００１４】
また上記ジョイント金具や取付金具では、直交する２本の中空下地材を接続するという機能を有するものの、横架材とランナーとの間に配置される中空下地材の長さを調整するような機能はなく、このような機能を示唆するものでもない。
【００１５】
本発明の目的は、中空下地材の長さを調整する機能を有し、且つ直交する２本の中空下地材を接続したとき、両方の中空下地材の側面を同一面内に位置させる機能を有する接続部材と、この接続部材を用いた下地の施工方法とを提供することにある。
【課題を解決するための手段】
【００１６】
上記課題を解決するために本発明に係る接続部材は、断面が略四角形の中空材からなる被接続下地材と接続下地材を直角に接続する部位に用いる接続部材であって、嵌合部と該嵌合部の一方の端部に取り付けられた係止片とを有し、前記嵌合部は接続下地材の内部に嵌合されると共に長手方向に摺動して嵌合長さを調整し得るように構成され、前記係止片は嵌合部を接続下地材に嵌合して被接続下地材の上面に係合したとき被接続下地材の下面と接続下地材の下面とが略同一面内に位置し得る形状を持って構成されたものである。
【００１７】
また本発明に係る下地の施工方法は、少なくとも一方の下地材が断面が略四角形の中空材からなる被接続下地材であり該被接続下地材と並列して配置された下地材との間に断面が略四角形の中空材からなる接続下地材を直角に配置して被接続下地材に接続する際の施工方法であって、予め並列に配置された被接続下地材と下地材との間隔よりも短い長さを持った接続下地材を用意すると共に該接続下地材の少なくとも一方の端部に上記接続部材を配置して嵌合部を嵌合しておき、前記接続部材の係止片を被接続下地材の外面に係止させて仮置きし、前記仮置き状態で接続下地材を接続部材の嵌合部に沿って摺動させて他方の端部を下地材に取り付け、その後、接続部材を被接続下地材に固定することを特徴とするものである。
【発明の効果】
【００１８】
本発明に係る接続部材では、嵌合部と該嵌合部の一方の端部に取り付けた係止片とを有し、嵌合部が断面が略四角形の中空材（中空下地材）からなる接続下地材の内部に嵌合され且つ長手方向に摺動して嵌合長さを調整し得るように構成されており、係止片が嵌合部を中空下地材に嵌合させた状態で被接続部材の上面に係合させたときに接合部材の下面と被接合部材の下面とが同一面内に位置するように構成されているため、係止片を被接続下地材に係合させて固定した後、接続下地材を嵌合部の長手方向に摺動させることで、接続下地材の長さと嵌合部の長さとによって全長を調整することが出来る。
【００１９】
このため、内壁面や天井面に開口部を構成する際に、現場で開口部の位置がズレたような場合であっても、このズレに対し追従することが出来る。従って、接続下地材の長さ寸法の自由度が大きくなり、現場合わせの必要がなくなることから、現場での施工が容易になり工期の短縮化をはかることが出来る。
【００２０】
また接続部材の係止片を被接続下地材の一方の面に係合させておくことで、接合下地材の他方の面と被接合下地材の他方の面を同一面に位置させることが可能となり、面材を取り付けたときに該面材に凹凸を生じさせることがない。
【００２１】
特に、下地が天井であるような場合、係止片を被接合下地材の上面に係合させておくことで支持することが可能であり、作業員が手で支持する必要がなく、施工が容易となる。このため、被接合下地材に対して複数の接合下地材を接続するような場合であっても、夫々の接合下地材の位置を正確に設定した後、固定することが出来る。更に、接合下地材を被接合下地材に接続した後、被接合下地材の位置を変更するような場合でも、接合下地材と嵌合具とが長手方向に摺動し得るため、前記変更に対応することが出来る
【００２２】
また本発明に係る下地の施工方法では、予め並列に配置された被接続下地材と下地材との間隔よりも短い長さを持った接続下地材を用意しておき、この接続下地材の少なくとも一方の端部に接続部材を配置して嵌合部を嵌合しておき、接続部材の係止片を被接続下地材の外面に係止させて仮置きし、この仮置き状態で接続下地材を接続部材の嵌合部に沿って摺動させて他方の端部を下地材に取り付け、その後、接続部材を被接続下地材に固定することで、被接続下地材と下地材との間隔の変化に追従することが出来る。
【００２３】
従って、内壁面や天井面に現場合わせの開口部を構成するような場合、この開口部の位置に変化に追従した下地を容易に構成することが出来る。特に、接続下地材の加工を現場ではなく工場段階で行うことが出来るため、現場での施工に支承を来すことがなく、円滑な作業を実現することが出来る。
【発明を実施するための最良の形態】
【００２４】
以下、本発明に係る接続部材と、この接続部材を用いた下地の施工方法の最も好ましい実施形態について説明する。
【００２５】
本発明に係る接続部材は、断面が略四角形の中空材（中空下地材、接合下地材）を直角に配置された中空下地材（被接合下地材）に接続する際に用いるものであり、接合下地材の長さの調整の自由度を有し、且つ被接合下地材に係合させたとき、両接合下地材の面を同一面内に位置させることを実現したものである。
【００２６】
本発明で用いる中空下地材は、断面が略四角形の中空材である。この中空材では、四角を構成する各辺、或いは下地面となる面の側面に断面性能を向上させるために折曲成形されることがあるが、このような中空材であっても断面は略四角形であり、利用することが可能である。また中空材の断面形状は略正方形，略長方形の何れであっても良い。このような中空材としては、薄い鋼板をロール成形したものが提供されており、この中空材を中空下地材として用いることが好ましい。
【００２７】
例えば中空下地材を天井の下地に使用する場合、予め目的の天井を構成する部位の両端に配置された梁に例えばコ字状或いはＬ字状の長尺状の取付金具を取り付けると共に、中空下地材を前記取付金具間の距離に等しい長さに切断しておき、中空下地材を所定の間隔を持って（例えば、建物に設定されたモジュール寸法の整数倍の寸法）配置すると共に両端を取付金具に固定することで、天井面に一定の間隔を保持して配置された中空下地材によって天井下地を構成することが可能である。
【００２８】
接続部材は、直角に接合される２本の中空下地材（被接合下地材と、この被接合下地材に対して直角に接合する接合下地材）の接続部位に配置されるものであり、特に、接合下地材の長さが確定しないような場合、この接合下地材の取付長さ（被接合下地材と他方の下地材或いは取付金具との間隔寸法）を調整することが可能となり有利である。
【００２９】
このため、接続部材は、中空下地材の内部に嵌合すると共に長手方向に摺動して嵌合長さを調整し得るように構成された嵌合部と、この嵌合部の一方側の端部に取り付けられ嵌合部を中空下地材の内部に嵌合した状態で接続すべき中空下地材の面に係合させたとき、両方の中空下地材の下地面となる面が同一面に配置されるように構成された係止片と、を有して構成されている。
【００３０】
嵌合部は、中空下地材（接合下地材）の中空部に嵌合して長さ方向に摺動し、これにより、接合下地材の取付長さを調整する機能を有する。このため、嵌合部は前記調整機能を発揮するのに充分な長さを有している。しかし、嵌合部の長さは必ずしも限定するものではなく、適用する部位に想定し得る調整長さを満足し得る長さであることが好ましい。嵌合部の一般的な長さとしては、約２０cm〜約３０cm程度である。
【００３１】
嵌合部は接合下地材の中空部に嵌合されるため、該接合下地材の中空部の寸法よりも小さい寸法であれば良い。しかし、嵌合部を接合下地材の中空部に嵌合したとき、ガタツキがないことが好ましい。このため、嵌合部の断面形状は四角形又はコ字型であることが好ましく、寸法は接合下地材の中空部の寸法に対しガタツキを生じることなく摺動し得る程度であることが好ましい。
【００３２】
嵌合部の断面形状を四角形又はコ字型とすることによって高い曲げ剛性と剪断強度を発揮することが可能であり、寸法を接合下地材の中空部の寸法に対し僅かに小さい寸法とすることで、嵌合部と中空部とが擦れ合って滑り摩擦を発生し、長手方向に摺動させて嵌合部分の長さが短くなったとしても充分に安定した下地を構成することが可能となる。
【００３３】
係止片は嵌合部の一方側の端部に設けられており、被接合下地材に係合させたとき、嵌合部を嵌合した接続下地材の係止片とは反対側の面（下地面）を、被接合下地材の係止片が係合する面とは反対側の面（下地面）と同一面に位置させる機能を有している。係止片の形状や構造は前記機能を発揮し得るものであれば限定するものではない。
【００３４】
例えば、係止片として、嵌合部を接合下地材の中空部に嵌合させたとき、係止片の一方側の面（被接合下地材の面と対向する面）が接合下地材の下地面とは反対側の面と同一面内にあるように構成されることが好ましい。係止片をこのように構成することで、嵌合部を接合下地材の中空部に嵌合させて係止片を被接合下地材の下地面とは反対側の面に係合させると、両下地材の下地面は同一面に位置することになる。
【００３５】
本発明の接続部材を被接合下地材に固定する場合、ビスを利用して係止片を被接合下地材の下地面とは反対側の面に締結することで良い。しかし、係止片とは別に固定片を設けても良いことは当然である。特に、目的の下地が天井下地であるような場合、係止片は被接合下地材の上面に係合することとなり、ビスを螺合する工具を操作するのが困難になることがあるような場合、被接合下地材の横方向の面（側面）に対向させて係止片の片側或いは両側に固定片を設けることが好ましい。
【００３６】
固定片をどのように形成するかは特に限定するものではなく、嵌合部の形状や係止片の形状を考慮して最適なものを設定することが好ましい。例えば、嵌合部がコ字型に形成されたものである場合、コ字のウエブの部分を延長して折曲成形することで係止片を形成すると共に、コ字のフランジの部分を折り曲げて固定片を形成することが可能である。
【００３７】
接続部材を上記の如く構成することによって、被接合下地材の上面に係止片を係合させると共に、固定片にビス等を螺合させて接続部材を被接合下地材に締結することが可能である。
【００３８】
次に、本発明に係る下地の施工方法は、例えば壁面や天井面に配置された中空下地材の間隔寸法よりも大きい寸法を持った開口部を形成する際に適用して有利な施工方法であり、特に、予め設置された並行した２本の下地材を２本の被接合下地材によって直角に接続することで、前記２本の下地材と２本の被接合下地材とによって四角の開口部を形成したとき、下地材と並行して配置され、一方の端部が被接合下地材に、他方の端部が例えば梁に固定されている取付金具に接続される接合下地材を接続する際に、開口部の位置に下地材に沿った方向の変動が生じて被接合下地材と取付金具との間隔が変動したような場合でも、この変動を吸収することを可能としたものである。
【００３９】
即ち、接続部材の嵌合部の長さを適宜設定すると共に該嵌合部を接合下地材の中空部に嵌合させておくことによって、該嵌合部を長手方向に摺動させて嵌合長さを調整することで、上記変動を吸収することが可能となる。従って、接合下地材の長さを予め設定されている開口部の位置に対応させた長さよりも多少短めに切断しておくことで、実際の開口部の位置が変動したことに伴う長さの変動を調整することが可能となる。
【００４０】
このため、少なくとも接合下地材の一方側の端部に接続部材を配置すると共に嵌合部を嵌合させておき、この接続部材の係止片を被接合下地材の外面に係止させて仮置きし、その後、他方の端部を例えば梁に取り付けた下地材に対向させるように接合下地材を摺動させて固定すると共に接続部材を被接合下地材に固定することで、接合下地材を被接合下地材に接続することが可能である。
【実施例１】
【００４１】
次に、接続部材の好ましい実施例について図を用いて説明する。図１は本実施例に係る接続部材Ａの構成を説明すると共に中空下地材１０からなる被接合下地材Ｂと接合下地材Ｃとの関係を説明する図である。
【００４２】
図に於いて、接続部材Ａは薄い鋼板によって成形された部材であり、コ字型に形成された嵌合部１と、嵌合部１の一方側の端部に設けられた係止片２と、嵌合部１に於ける係止片２と同じ側の端部に設けられた固定片３とを有して構成されている。そして、嵌合部１を中空下地材１０からなる接合下地材Ｃの中空部１１に嵌合して係止片２を被接合下地材Ｂの下地面１０ａとは反対側の面１０ｂに係合したとき、両下地材Ｂ，Ｃの下地面１０ａを同一面内に位置させるものである。
【００４３】
嵌合部１は、ウエブ１ａとウエブ１ａの両側に形成されたフランジ１ｂとによってコ字型に形成されている。嵌合部１に於けるウエブ１ａの幅寸法、及びフランジ１ｂの幅寸法は、中空下地材Ｂの中空部の寸法よりも僅かに小さい寸法を持って形成されている。従って、嵌合部１を中空下地材Ｂの中空部に嵌合したとき、両者の間に大きな隙間が形成されることがなく、略しっくりと摺動することが可能であり、且つガタツキなく一体化することが可能なように構成されている。また嵌合部１を中空下地材１０の中空部１１に嵌合させ易くするためにフランジ１ｂの先端部分を互いに接近させるように僅かに曲げておくことが好ましい。
【００４４】
嵌合部１の長さは中空下地材Ｂの中空部に嵌合して該嵌合部１の長さ方向に摺動することで、摺動長さに対応した調整機能を発揮し得るものであり、特に限定すべきではない。本実施例では嵌合部１の長さを約３０cmとして設定しているが、この数値は単なる例であり、２０cm或いは４０cm等、適宜設定することが可能である。
【００４５】
係止片２は、被接合下地材Ｂの面１０ｂに係合して、該被接合下地材Ｂの面１０ａと、接合下地材Ｃの面１０ａを同一面に位置させる機能を有するものであり、本実施例では、嵌合部１のウエブ１ａを延長させると共に、ウエブ１ａとの間に中空下地材１０の面１０ｂの約２倍の厚さと略等しい寸法を持った段差を設けた段差部４を有して構成されている。
【００４６】
従って、係止片２を被接合下地材Ｂの面１０ｂに係合させたとき、嵌合部１のウエブ１ａの上面が接合下地材Ｃの面１０ｂの内面の位置と同一面となり、これにより、被接合下地材Ｂ，接合下地材Ｃの下地面１０ａが互いに同一面内に位置することになる。
【００４７】
固定片３は接続部材Ａを被接合下地材Ｂを構成する中空下地材１０の側面１０ｃに固定する際に利用されるものであり、嵌合部１のフランジ１ｂを段差部４と対応する位置で夫々コ字型の外側に折り曲げて形成され、所定位置に図示しないビス等の固定具を挿通する穴３ａが形成されている。
【００４８】
従って、係止片２を被接合下地材Ｂの面１０ｂに係合させた状態で固定片３を側面１０ｃに当接させ、この状態を保持して穴３ａにビスを挿通して側面１０ｃに締結することで、接続部材Ａを被接合下地材Ｂを構成する中空下地材１０の側面１０ｃに固定することが可能である。そして、接合部材Ｃを接続部材Ａの嵌合部１の長手方向に摺動させることで、接合下地材Ｃの被接合下地材Ｂからの距離を適宜調整することが可能である。
【実施例２】
【００４９】
次に、接合部材Ａを利用した下地の施工方法について、天井の下地を構成する場合を例として説明する。図２は接続部材Ａを利用して中空下地材１０からなる被接合下地材Ｂと接合下地材Ｃを接合した部位の構成を説明する図である。図３は天井面にエアコン設置用の開口部を構成する際の構造を説明する模式図である。
【００５０】
先ず、図３により本発明に係る下地の施工方法を好適に採用し得る下地の例を説明する。図に示すように、埋め込み型の天井エアコンを設置するための開口部Ｄは、冷暖房効率や配管或いは配線の便を考慮して天井に於ける最適な位置に配置される。この場合、天井に配置される下地材の配置位置を考慮することはなく、従って、天井の下地は予め設定された開口部Ｄの位置を除いて形成される。
【００５１】
即ち、天井面には予め平行した配置された梁３０（一方のみを図示する）の対向する面にコ字型に形成された長尺状の取付金具３１が固定されており、前記取付金具３１間の長さに対応させた中空下地材１０が予め設定された間隔を持って配置されると共に、両端が夫々取付金具３１に固定されている。しかし、前記中空下地材１０は、図３に示すように、開口部Ｄの形成を予定した部位には配置されることなく、該開口部Ｄの寸法よりも大きい間隔となるように開けた状態になっている。
【００５２】
例えば、中空下地材１０が約３０cmの間隔を持って配置され、且つ開口部Ｄの梁３０に沿った方向の寸法（縦方向、縦寸法）が約６０cm必要となるような場合、中空下地材１０の内法寸法が６０cmを満足し得るように、２本の中空下地材１０の配置部位を飛ばして３本目の中空下地材１０までの間が開口部Ｄのために明けられる。
【００５３】
本実施例の場合、中空下地材１０の間隔は約９０cmであり、側面１０ｃの内法寸法は約９０cmから中空下地材１０の幅寸法を引いた寸法となり、この寸法は高い精度で保証される。このため、開口部Ｄの縦方向に沿って配置される中空下地材１０からなる被接合下地材Ｂは開口部Ｄの位置の変動に関わらず一定の長さを保証することが可能である。
【００５４】
開口部Ｄの中空下地材１０に沿った方向の寸法（横方向、横寸法）は予め設定されているものの、前述したように、天井に於ける開口部Ｄの設置位置は種々の条件で変更されることがある。このため、開口部Ｄの横方向の縁に沿って配置される中空下地材１０からなる接合下地材Ｃａは開口部Ｄの位置に変動に関わらず予め設定された長さを保証することが可能である。しかし、開口部Ｃの縦方向を規定する被接合下地材Ｂの取付施工が現場施工となるため、寸法誤差が生じることを排除し得ない。このため、接合下地材Ｃａの長さを予め設定された開口部Ｄの横寸法よりも短めに形成しておき、少なくとも一方側の端部に接続部材Ａを嵌合しておくことが好ましい。
【００５５】
開口部Ｄの位置の変動に伴って該開口部Ｄと梁３０との距離は変動する虞があり、被接合下地材Ｂと梁３０との間に配置される中空下地材１０の長さは開口部Ｄの変動に伴って変化する虞が生じるため、被接合下地材Ｂと梁３０との間に配置される中空下地材１０からなる接合下地材Ｃｂは、長さが予め設計段階で設定されている長さよりも短めに形成され、少なくとも一方側の端部に長さの調整機能を持った接続部材Ａの嵌合部１を嵌合している。
【００５６】
次に、並行して配置された中空下地材１０の間に形成された開口部Ｄに沿って被接合下地材Ｂを配置し、接合下地材Ｃａ，Ｃｂを配置する際の施工手順について説明する。先ず、既に梁３０に取り付けた取付金具３１に両端を固定した中空下地材１０の間に於ける開口部Ｄの位置を決定する。
【００５７】
開口部Ｄの位置が決定した後、該開口部Ｄの縦方向に沿って２本の被接合下地材Ｂを配置し、夫々の両端部を中空下地材１０の側面に固定する。このとき、前述したように、中空下地材１０の間の寸法は正確に設定されているため、被接合下地材Ｂの長さを調整する必要はなく、従って、被接合下地材Ｂの中空下地材１０に対する固定方法は特に限定するものではなく、取付金具３１と同様の形状を持ったピース状の金具３２を利用することが可能であり、接続部材Ａを利用することも可能である。
【００５８】
被接合下地材Ｂを固定した後、開口部Ｄの横方向に沿って２本の接合下地材Ｃａを配置し、両端を対向する被接合下地材Ｂの側面１０ｃに固定する。予め接合下地材Ｃａの長さは開口部Ｄの横寸法よりも短めに形成されており、両端に夫々接続部材Ａの嵌合部１が嵌合している。
【００５９】
接合下地材Ｃａを被接合下地材Ｂの間に配置し、両端に嵌合した嵌合部１を長手方向に摺動させて接続部材Ａを引き出し、係止片２を被接合下地材Ｂの面１０ｂに係合させる。このとき、接合下地材Ｃａが開口部Ｄの横寸法よりも短く形成されているため、実際の開口部Ｄの横寸法が設定された寸法よりも短くとも、ある程度の誤差に対応することが可能である。
【００６０】
また実際の開口部Ｄの横寸法が設定された寸法よりも大きい場合、接続部材Ａの嵌合部１の接合下地材Ｃａに嵌合している部分の一部を引き出して接合下地材Ｃａとして機能させることで、この寸法の変化に対応することが可能である。寸法の調整代は嵌合部１の全長が有効となるものではなく、例えば嵌合部１の長さが約３０cmであるような場合、約１０cm〜１５cm程度である。従って、両端部に夫々接続部材Ａを嵌合させた場合には約２０cm〜３０cm程度となる。
【００６１】
上記の如く、接合下地材Ｃａの両端に嵌合した接続部材Ａの係止片２を被接合下地材Ｂの面１０ｂに係合させた状態で、被接合下地材Ｃａは被接合下地材Ｂに係止されて落下することはない。従って、この状態で、開口部Ｄの設置位置に対応させて中空下地材１０からの寸法を測り出して該開口部Ｄの横方向の縁に沿った位置に設定する。
【００６２】
このとき、接続部材Ａの係止片２が被接合下地材Ｂの面１０ｂに係合しているため、接合下地材Ｃａ及び被接合下地材Ｂの下地面１０ａは互いに同一面に位置しており、これらの下地面１０ａに凹凸が生じることがない。
【００６３】
上記の如くして位置決めした後、固定片３に形成した穴３ａにビス５を挿通して被接合下地材Ｂの側面１０ｃに締結する。各接合下地材Ｃａに嵌合させた接続部材Ａを被接合下地材Ｂに固定した後、梁３０に取り付けた取付金具３１と被接合下地材Ｂとの間に接合下地材Ｃｂを配置する。
【００６４】
接合下地材Ｃｂの一方側の端部に嵌合させた接続部材Ａを被接続下地材Ｂに対向させ、該接続部材Ａの係止片２を被接合下地材Ｂの面１０ｂに係合させる。その後、接合下地材Ｃｂを嵌合部１に沿って摺動させて他方側の端部を取付金具３１によって支持する。これにより、接合下地材Ｃｂは一方側の端部が被接合下地材Ｂに、他方側の端部が取付金具３１に支持される。
【００６５】
次いで、接合下地材Ｃｂの配置間隔を中空下地材１０の配置間隔と等しくなるように調整し、前述と同様に、接続部材Ａの固定片３をビス５によって被接合下地材Ｂの側面１０ｃに締結し、他方側の端部を取付金具３１に固定する。
【００６６】
上記の如くして開口部Ｄの設置位置の変動に関わらず、現場での切断作業を排除して円滑に天井の下地を構成することが可能である。
【産業上の利用可能性】
【００６７】
本発明の接続部材及びこの接続部材を用いた下地の施工方法では、壁面や天井面に開口部を形成する際に、該開口部の位置が変動することに伴う下地材の長さの変化に対応することが可能である。このため、現場での下地材の切断等の作業を排除することが可能となり、壁や天井の下地に適用して有利である。
【００６８】
また直交して接合された２本の下地材の面が同一面に位置するため、構成された下地面に面材を取り付けたとき、凹凸が生じることがなく美観に優れた面を形成することが可能となり、壁や天井の下地に適用して有利である。
【図面の簡単な説明】
【００６９】
【図１】接続部材の構成を説明すると共に中空下地材からなる被接合下地材と接合下地材との関係を説明する図である。
【図２】接続部材を利用して中空下地材からなる被接合下地材と接合下地材を接合した部位の構成を説明する図である。
【図３】天井面にエアコン設置用の開口部を構成する際の構造を説明する模式図である。
【符号の説明】
【００７０】
Ａ                          接続部材
Ｂ                          被接合下地材
Ｃ，Ｃａ，Ｃｂ              接合下地材
Ｄ                          開口部
１                          嵌合部
１ａ                        ウエブ
１ｂ                        フランジ
２                          係止片
３                          固定片
３ａ                        穴
４                          段差部
５                          ビス
１０                        中空下地材
１１                        中空部
１０ａ                      下地面
１０ｂ                      面
１０ｃ                      側面
３０                        梁
３１                        取付金具
３２                        ピース状の金具
【図１】
2006144380.tif 000003
【図２】
2006144380.tif 000004
【図３】
2006144380.tif 000005